(57)【要約】      （修正有）【課題】貫通穴を有するジャックを必要とせず、ジャックをプラグに挿入した状態でも装置の調整が可能な撮像装置を提供すること。【解決手段】撮像装置本体に開閉可能に配設されたカードカバー部には撮像装置本体に記録媒体が記録媒体保持部材１２０１に装着されているか否かを視認可能なカード視認窓２０５が配設され、調整用リモコン受光素子１２０３は記録媒体挿入口の内部、かつ、カードカバー部を閉じた状態でカード視認窓２０５を通過した遠隔操作信号１２０５を受信可能な位置に配置される。【選択図】図１２ｂ
2016133693.tif 000002
【特許請求の範囲】
【請求項１】
遠隔操作信号を発信するための遠隔操作装置と、
前記遠隔操作装置によって操作または調整可能に構成された撮像装置であって、
前記撮像装置本体に開閉可能に配設されたカバー部材と、
前記撮像装置が撮影した映像を記録するために前記撮像装置に挿抜可能に配置された記録媒体と、
前記撮像装置本体の内部に配設された基板と、
前記基板上に設けられた記録媒体保持部材と、
前記記録媒体を前記記録媒体保持部材に挿抜するために、前記撮像装置本体に設けられ、前記カバー部材で被覆される記録媒体挿入口と、
前記遠隔操作装置から発信された前記遠隔操作信号を受信するために設けられた受光素子と、
を有し、
前記カバー部材には前記撮像装置本体に前記記録媒体が前記記録媒体保持部材に装着されているか否かを視認可能な視認窓部が配設され、前記受光素子は前記記録媒体挿入口の内部、かつ、前記カバー部材を閉じた状態で前記視認窓部を通過した前記遠隔操作信号を受信可能な位置に配置されることを特徴とする撮像装置。
【請求項２】
前記記録媒体保持部材と前記受光素子が単一の前記基板に配置されていることを特徴とする請求項１に記載の撮像装置。
【発明の詳細な説明】
【技術分野】
【０００１】
本発明は、遠隔操作（リモートコントロール操作／リモコン操作）用の受光素子を有する撮像装置に関する。
【背景技術】
【０００２】
ビデオカメラやデジタルカメラなどの撮像装置は、機器調整用としてサービスモードを有している。このような撮像装置では内部に配置された基板に外部からコネクタを差し込み、修理時の機器調整を行っていた。
【０００３】
しかし、外装カバーに設けられたコネクタ接続用の蓋と外装カバーの隙間から静電気が入り込むことでおこる部品破壊を防ぐことは困難であった。
【０００４】
そこで、開口部にコネクタを挿しこまない方法として、撮像装置の外部から赤外発光のリモコン装置（遠隔操作装置）を利用し、撮像装置に内蔵されているリモコン受光素子に対して信号の送信を行い、撮像装置を調整する方法がある。
【０００５】
それに対して、特許文献１において、装置本体の内部の基板と、基板上に設けられた貫通穴を有するジャックと、基板上に設けられた遠隔操作の受光素子と、を有し、遠隔操作用の受光素子は、貫通穴を有するジャックの内部に配置する発明が提案されている。
【先行技術文献】
【特許文献】
【０００６】
【特許文献１】特開２０１４−１１０５１３号公報
【発明の概要】
【発明が解決しようとする課題】
【０００７】
しかしながら、上記の特許文献１では、撮像装置の調整を行うには、貫通穴を有するジャックが必要である。また、ジャックはプラグを挿入されると使用することができず、ジャックを差した状態で機器調整ができないという課題があった。
【０００８】
本発明の目的は、貫通穴を有するジャックを必要とせず、ジャックをプラグに挿入した状態でも装置の調整が可能な撮像装置を提供することにある。
【課題を解決するための手段】
【０００９】
上記の目的を達成するために、本発明は、遠隔操作信号を発信するための遠隔操作装置と、遠隔操作装置によって操作または調整可能に構成された撮像装置であって、撮像装置本体に開閉可能に配設されたカバー部材と、撮像装置が撮影した映像を記録するために撮像装置に挿抜可能に配置された記録媒体と、撮像装置本体の内部に配設された基板と、基板上に設けられた記録媒体保持部材と、記録媒体を記録媒体保持部材に挿抜するために、撮像装置本体に設けられ、カバー部材で被覆される記録媒体挿入口と、遠隔操作装置から発信された遠隔操作信号を受信するために設けられた受光素子とを有し、カバー部材には撮像装置本体に記録媒体が記録媒体保持部材に装着されているか否かを視認可能な視認窓部が配設され、受光素子は記録媒体挿入口の内部、かつ、カバー部材を閉じた状態で視認窓部を通過した遠隔操作信号を受信可能な位置に配置されることを特徴とする。
【発明の効果】
【００１０】
本発明によれば、貫通穴を有するジャックを必要とせず、ジャックをプラグに挿入した状態でも装置の調整が可能な撮像装置の提供を実現できる。
【図面の簡単な説明】
【００１１】
【図１】撮像装置本体の主に上面構成を表す正面右側上方から見た斜視図
【図２】カードカバー閉状態の撮像装置本体  の主に背面構成を表す背面左側上方から見た斜視図
【図３】カードカバー開状態の撮像装置本体  の主に背面構成を表す背面左側上方から見た斜視図
【図４】撮像装置本体の背面を構成する要素のみを表示した背面斜視図
【図５】カードカバー部の分解斜視図
【図６ａ】カードカバー部のみを正面側から見た内部構造図
【図６ｂ】カードカバー外カバーのみの斜視図
【図７】カードカバー操作ノブを右側上面から見た斜視図
【図８ａ】カードカバー部および背面カバーの断面図
【図８ｂ】カードカバー操作ノブ操作後のカードカバー部および背面カバーの断面図
【図９ａ】動作規制部材単体を示した斜視図
【図９ｂ】動作規制部材を右側面から見た側面図
【図１０ａ】カード閉状態のカードカバー部の断面図
【図１０ｂ】カード開状態のカードカバー部の断面図
【図１１ａ】カードカバー開状態の撮像装置に記録媒体を挿入する前の斜視図
【図１１ｂ】カードカバー開状態の撮像装置に記録媒体を挿入した後の斜視図
【図１２ａ】記録媒体挿入後のカードカバー閉状態のカードカバー部の拡大図
【図１２ｂ】記録媒体挿入後のカードカバー閉状態のカードカバー部の断面図
【発明を実施するための形態】
【００１２】
以下、本発明の好適な一実施形態について、撮像装置に本発明を適用し、図面を参照しながら詳細に説明する。尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１３】
図１は撮像装置本体１０１の主に上面構成を表す正面右側上方から見た斜視図、図２、図３は撮像装置本体１０１の主に背面構成を表す背面左側上方から見た斜視図、本図を用いて外観斜視図に表される各要素の機能を説明する。
【００１４】
図１から図２に示す撮像装置本体１０１の正面側には、レンズ１０２が配置されている。レンズ１０２には、撮影者が回動操作することで撮影画像の光学的な拡大縮小を行うズームリング１０３が配置されている。また、レンズ１０２には撮影者が回動することで、撮影画像の合焦位置を変動することができるフォーカスリング１０４が設けられている。
【００１５】
撮像装置本体１０１の右側面には、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１０５が配置されている。また、表示部２０２に表示される撮像装置本体１０１のさまざま状態を示すアイコンの表示／非表示を切り替える表示切替スイッチ１０６ａ、撮像装置本体１０１がマニュアルフォーカスモードになっている場合に、撮影者が押している間だけ一時的にオートフォーカスモードに切り替えることができるＡＦスイッチ１０６ｂが配置されている。
【００１６】
撮像装置本体１０１の左側面には、把持部回動軸２０１を中心に回動可能に取り付けられた把持部１０７が配置されている。把持部１０７は図２に示す把持部回動軸２０１を中心に矢印Ａ側に９０度、矢印Ｂ側に９０度回動するように構成されている。
【００１７】
撮像装置本体１０１の上面には、入力された音声信号を電気信号に変換するマイク１０８が配置されている。マイク１０８の背面方向に隣接して、フラッシュや外部マイクなどのカメラアクセサリを装着可能なアクセサリ取付部１０９が配置されている。
【００１８】
撮像装置本体１０１の背面には、撮影者が撮像画像や再生画像の表示を行う表示部２０２が配置されている。表示部２０２は撮像装置本体１０１に対して回動可能に取り付けられており、撮影者が撮影状況に合わせて、表示部２０２の位置を任意に変えることができるように構成されている。
【００１９】
また、表示部２０２の底面側には、撮影者が撮影した撮影画像を記録するために着脱する記録媒体を被覆するためのカードカバー部２０３が配置されている。撮影者はカードカバー部２０３上に配置されたカードカバー操作ノブ２０４を操作することで、記録媒体ないしは記録媒体挿入口３０１が被覆されている状態であるカバー閉状態から記録媒体ないしは記録媒体挿入口３０１が露出している状態であるカバー開状態にすることができる。
【００２０】
図２はカードカバー閉状態の撮像装置本体１０１、図３はカードカバー開状態の撮像装置本体１０１を表している。
【００２１】
カードカバー部２０３には、透明樹脂で構成されたカード視認窓２０５が設けられている。撮影者は撮像装置本体１０１に記録媒体が装着されているか否かを、カード視認窓２０５からカードカバー部２０３内部を観察することで確認することができる。
【００２２】
表示部２０２、カードカバー部２０３は撮像装置本体１０１の背面に設けられた背面カバー２０６を介して撮像装置本体１０１に取り付けられている。
【００２３】
カードカバー部２０３の開状態では、図３に示すように、記録媒体挿入口３０１が外観に露出する。撮影者は撮影映像を記録するために、−Ｘ方向から記録媒体を撮像装置本体１０１の記録媒体挿入口３０１に挿入する。記録媒体の着脱に関しては後述する。
【００２４】
（カードカバーの構造説明）
図４は撮像装置本体１０１の背面を構成する要素のみを表示した背面斜視図、図５はカードカバー部の分解斜視図である。図６ａはカードカバー部２０３のカード内カバー４０２を除去し、カードカバー部２０３のみを正面側から見た内部構造図、図６ｂはカード外カバー４０１の内面を示した斜視図である。図７はカードカバー操作ノブ２０４を右側上面から見た斜視図である。図８ａはカードカバー部２０３および背面カバー２０６を図４に示した断面Ｄ−Ｄで切断した断面図、図８ｂは図８ａの状態からカードカバー操作ノブ２０４を操作した時の断面Ｄ−Ｄで切断した断面図である。
【００２５】
カードカバー部２０３は図５に示した２点鎖線で囲われた複数の構成部品で構成されている。カードカバー部２０３は主に外観部品であるカード外カバー４０１と透明部材で構成されたカード内カバー４０２で構成されている。
【００２６】
前述のカードカバー操作ノブ２０４はカード外カバー４０１に配設された操作ノブ開口部４０３にカード外カバー４０１内側から挿通されることで操作可能に配置されている。
【００２７】
また、前述のカード視認窓２０５はカード内カバー４０２上に配設されており、カード外カバー４０１のカード視認窓開口部４０４に  カード外カバー４０１内側から挿通されることで外観から視認可能に構成されている。
【００２８】
カードカバー操作ノブ２０４は図５、図６ａに示すように、カード外カバー４０１とカード内カバー４０２に左右方向にスライド可能に挟持されている。
【００２９】
操作ノブ付勢バネ４０５はカードカバー操作ノブ２０４から延在する操作ノブバネ挿通軸７０１に挿通され、組立状態では操作ノブ付勢バネ４０５により＋Ｚ方向に付勢されている。
【００３０】
カードカバー操作ノブ２０４にはカードカバー係止部７０２は、撮像装置本体１０１正面側に向かって延出して配設されており、操作ノブ付勢バネ４０５により＋Ｚ方向に付勢されることで、背面カバー２０６と係合する。
【００３１】
また、カバー回動軸（右）４０６とカバー回動軸（左）４０７がカード外カバー４０１の左右両側に配設されたカバー回動軸受け部４１２に挿通され、さらにカード外カバー４０１とカード内カバー４０２に挟持されている。カバー回動軸（右）４０６とカバー回動軸（左）４０７はカバー回動軸受け部４１２と同一軸上になるように背面カバー２０６の左右両側に配設されたカバー回動軸保持部４０８に挿通されることで、背面カバー２０６に対して回動可能に構成されている。
【００３２】
カードカバー部２０３を開くときの動作について説明する。カードカバー部２０３はカードカバー閉状態では、操作ノブ付勢バネ４０５によって＋Ｚ方向に付勢され、図８ａに示すように背面カバー２０６に対して、カードカバー操作ノブ２０４のカードカバー係止部７０２が係合している。カードカバー操作ノブ２０４を−Ｚ方向に操作すると、図８ｂに示すように背面カバー２０６からカードカバー操作ノブ２０４のカードカバー係止部７０２が外れる。
【００３３】
カードカバー部２０３はカバー回動軸（右）４０６によって貫挿され、カードカバー部２０３を常に開く方向に付勢しているカードカバー付勢バネ４０９が配置されている。
カードカバー係止部７０２が外れた状態のカードカバー部２０３は、このカードカバー付勢バネ４０９の付勢力によって、カードカバー部２０３を押し上げられることで、カバー回動軸（右）４０６およびカバー回動軸（左）４０７を中心にカードカバー開状態にすることが可能となる。
【００３４】
カード外カバー４０１の内面には、図６ｂに示す位置にカードカバー側当接面６０１（図６ｂのハッチング面）が配設されている。背面カバー２０６には、背面カバー２０６内側から動作規制部材４１０が取り付けられている。
【００３５】
図９ａは動作規制部材４１０単体を背面から見た斜視図、図９ｂは動作規制部８０１の上面斜視図である。図１０ａは図４に示すカード閉状態のカードカバー部２０３を図中Ｃ―Ｃ断面で切断し、右側面から見た断面図、図１０ｂはカード開状態のカードカバー部２０３を図１０ａと同様のＣ―Ｃ断面で切断し、右側面から見た断面図、図１０ｃは図１０ｂの２点鎖線で囲われた領域Ｅを拡大した拡大図である。
【００３６】
動作規制部材４１０には動作規制部８０１が配設されている。動作規制部８０１は図９ａに示すように上面側に開口部を有した略コの字状に形成されている。動作規制部８０１の略コの字の内側の一面は動作規制部材側当接面８０２（図９ｂのハッチング面）として形成されている。
【００３７】
カードカバー開状態のカードカバー部２０３は、動作規制部８０１の動作規制部材側当接面８０２とカード外カバー４０１のカードカバー側当接面６０１が当接するように構成されている。図１０ｂにおいて、動作規制部材側当接面８０２とカードカバー側当接面６０１は当接した状態のため、図中の表現上は同一の箇所を示している。
【００３８】
記録媒体の挿抜するときの動作について説明する。図１１ａはカードカバー開状態の撮像装置本体１０１に記録媒体を挿入する前の斜視図、図１１ｂはカードカバー開状態の撮像装置本体１０１に記録媒体を挿入した後の斜視図である。図１２ａは記録媒体挿入後のカードカバー閉状態のカードカバー部２０３の拡大図、図１２ｂは図１２ａに示した断面Ｆ−Ｆで切断した時の断面図である。
【００３９】
撮影者は、図３に示すように撮像装置本体１０１のカードカバー部２０３を上述の動作により動作させ、カードカバー開状態にする。続いて、記録媒体１１０１を記録媒体挿入口３０１に向かって図１１ａに示す矢印Ｅ方向に差し込む。その後、図１１ｂに示すように記録媒体１１０１を、撮像装置本体１０１内部に配設された記録媒体保持部材に保持されるまで差し込む。記録媒体保持部材に関して、詳細は後述する。
【００４０】
最後に図２に示すようにカードカバー部２０３をカードカバー閉状態にすることで、記録媒体１１０１を撮像装置本体１０１に挿入動作を完了する。
【００４１】
撮像装置本体１０１に挿入された記録媒体１１０１は図１２ａに示すように、カードカバー部２０３に配置されたカード視認窓２０５から視認可能である。
【００４２】
記録媒体１１０１は前述したように、記録媒体保持部材１２０１に保持される。記録媒体保持部材１２０１は図１２ｂに示すプリント基板１２０２に実装され、プリント基板１２０２は図示しない内部保持部材により撮像装置本体１０１に固定されている。
【００４３】
調整用リモコン受光素子１２０３は、記録媒体保持部材１２０１と同一のプリント基板１２０２に実装されている。本実施例において、調整用リモコン受光素子１２０３は、記録媒体挿入口３０１の近傍、かつ、記録媒体保持部材１２０１の近傍に配置されている。
【００４４】
以上のように構成した撮像装置本体１０１における調整用リモコン１２０４からの遠隔操作信号１２０５の受信について説明する。
【００４５】
調整用リモコン１２０４は、調整用リモコン１２０４に配置されたボタンを押下することで、押下したボタンに割り当てられた所定の赤外線信号を遠隔操作信号１２０５として発信する。遠隔操作信号１２０５は撮像装置本体１０１を操作、調整するための赤外線信号のパターンを有しており、押下したボタンに対応したパターンの赤外線信号が調整用リモコン１２０４を操作することで発信される。
【００４６】
調整用リモコン１２０４から発信された遠隔操作信号１２０５は、透明部材で構成されたカード内カバー４０２のカード視認窓２０５を透過する。
【００４７】
カード視認窓２０５を通過した遠隔操作信号１２０５は記録媒体１１０１と記録媒体挿入口３０１との隙間を通過する。隙間を通過した遠隔操作信号１２０５はプリント基板１２０２に実装された調整用リモコン受光素子１２０３に到達し、遠隔操作信号１２０５を受信する。
【００４８】
調整用リモコン受光素子１２０３が遠隔操作信号１２０５を受信することで撮像装置本体１０１の操作、調整を行うことができる。
【００４９】
以上、説明したように構成することで、貫通穴を有するジャックがを必要とせず、ジャックをプラグに挿入した状態でも、撮像装置の調整が可能になる。
【００５０】
また、本実施例において、記録媒体保持部材１２０１と調整用リモコン受光素子１２０３は同一のプリント基板１２０２に配置された例で説明したが、調整用リモコン受光素子１２０３が、記録媒体挿入口３０１の近傍、かつ、調整用リモコン１２０４から発信される遠隔操作信号１２０５を受信できる位置に配置されていれば、記録媒体保持部材１２０１と調整用リモコン受光素子１２０３は異なる基板に配置されていてもよい。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５２】
１０１  撮像装置本体、１０２  レンズ、２０３  カードカバー部、
２０５  カード視認窓、２０６  背面カバー、３０１  記録媒体挿入口、
４０４  カード視認窓開口部、１１０１  記録媒体、１２０１  記録媒体保持部材、
１２０２  プリント基板、１２０３  調整用リモコン素子、１２０４  調整用リモコン、
１２０５  遠隔操作信号
【図１】
2016133693.tif 000003
【図２】
2016133693.tif 000004
【図３】
2016133693.tif 000005
【図４】
2016133693.tif 000006
【図５】
2016133693.tif 000007
【図６ａ】
2016133693.tif 000008
【図６ｂ】
2016133693.tif 000009
【図７】
2016133693.tif 000010
【図８ａ】
2016133693.tif 000011
【図８ｂ】
2016133693.tif 000012
【図９ａ】
2016133693.tif 000013
【図９ｂ】
2016133693.tif 000014
【図１０ａ】
2016133693.tif 000015
【図１０ｂ】
2016133693.tif 000016
【図１１ａ】
2016133693.tif 000017
【図１１ｂ】
2016133693.tif 000018
【図１２ａ】
2016133693.tif 000019
【図１２ｂ】
2016133693.tif 000020